(57)【要約】【課題】消費電流の低減に寄与する、複数の表示手段及び入力手段を備えた電子機器、電子機器の制御方法及びプログラムを提供する。【解決手段】複数の表示手段及び表示手段の表示面にそれぞれ対応して設けられた複数の入力手段を備える電子機器に、複数の入力手段の間に配置される、ユーザによる操作を検出する検出手段を設ける。制御手段は、検出手段に対するユーザの操作を検出すると、使用可能な表示手段及び入力手段を切り替える。【選択図】図１
2012238067.tif 000002
【特許請求の範囲】
【請求項１】
複数の表示手段と、
前記表示手段の表示面にそれぞれ対応して設けられた、情報を入力するための複数の入力手段と、
複数の前記入力手段間に配置された、ユーザによる操作を検出する検出手段と、
前記検出手段に対する前記ユーザの操作を検出すると、使用可能な表示手段及び入力手段を切り替える制御手段と、
を有する電子機器。
【請求項２】
前記制御手段は、
使用中の前記入力手段の端部に対する前記ユーザの操作を検出すると、前記検出手段をＯＮさせ、該ＯＮにした検出手段に対する前記ユーザの操作を検出すると、使用可能な表示手段及び前記入力手段を切り替える請求項１記載の電子機器。
【請求項３】
前記制御手段は、
前記検出手段をＯＮさせると、予め設定された時間が経過した後、該ＯＮにした検出手段をＯＦＦさせる請求項２記載の電子機器。
【請求項４】
前記制御手段は、
複数の前記表示手段及び前記入力手段がそれぞれ使用可能な状態にある場合、前記検出手段に対する前記ユーザの操作を検出すると、複数の前記表示手段及び前記入力手段のうち、いずれか１つの表示手段及び入力手段を使用可能にする請求項１から３のいずれか１項記載の電子機器。
【請求項５】
複数の表示手段と、
前記表示手段の表示面にそれぞれ対応して設けられた、情報を入力するための複数の入力手段と、
前記入力手段間に配置された、ユーザによる操作を検出する検出手段と、
を有する電子機器の制御方法であって、
前記検出手段に対する前記ユーザの操作を検出すると、使用可能な表示手段及び入力手段を切り替える電子機器の制御方法。
【請求項６】
使用中の前記入力手段の端部に対する前記ユーザの操作を検出すると、前記検出手段をＯＮさせ、該ＯＮにした検出手段に対する前記ユーザの操作を検出すると、使用可能な表示手段及び前記入力手段を切り替える請求項５記載の電子機器の制御方法。
【請求項７】
前記検出手段をＯＮさせると、予め設定された時間が経過した後、該ＯＮにした検出手段をＯＦＦさせる請求項６記載の電子機器の制御方法。
【請求項８】
複数の前記表示手段及び前記入力手段がそれぞれ使用可能な状態にある場合、前記検出手段に対する前記ユーザの操作を検出すると、複数の前記表示手段及び前記入力手段のうち、いずれか１つの表示手段及び前記入力手段を使用可能にする請求項５から７のいずれか１項記載の電子機器の制御方法。
【請求項９】
複数の表示手段と、
前記表示手段の表示面にそれぞれ対応して設けられた、情報を入力するための複数の入力手段と、
前記入力手段の間に配置された、ユーザによる操作を検出する検出手段と、
を有する電子機器を制御するためのプログラムであって、
前記検出手段に対する前記ユーザの操作を検出すると、使用可能な表示手段及び入力手段を切り替えるためのプログラム。
【請求項１０】
使用中の前記入力手段の端部に対する前記ユーザの操作を検出すると、前記検出手段をＯＮさせ、該ＯＮにした検出手段に対する前記ユーザの操作を検出すると、使用可能な表示手段及び入力手段を切り替えるための請求項９記載のプログラム。
【発明の詳細な説明】
【技術分野】
【０００１】
本発明は、電子機器、該電子機器の制御方法及びプログラムに関する。
【背景技術】
【０００２】
現在、携帯電話機では、通話や電子メール等の送受信だけでなく、ＷｅｂブラウジングやＳＮＳ（Social Network Service）の利用頻度が高まり、それに伴って表示画面の大型化が進んでいる。しかしながら、携帯電話機は、携帯するものであり、片手で持てるものであることを考えると、表示画面は最大でも４〜４．５インチ程度の大きさになる。
【０００３】
そのため、近年では２つのディスプレイ（表示部）を備えた折り畳み式、またはスライド式の携帯電話機が現れている。例えば特許文献１には、２つの表示部を備えた折り畳み式の携帯電話機が記載されている。また、２つの表示部を備えるものではないが、特許文献２には、携帯電話機に外部インタフェース部を備えることで、他の携帯電話機の画面も自機の表示部として利用可能にした構成が記載されている。
【０００４】
上述した２つの表示部を備えた携帯電話機では、並んで配置される２つの表示部を１つの大きな表示部として利用される機会が増えると考えられる。その場合、携帯電話機には、文字、数字、記号等を入力するためのハードウェアによる入力キーを配置するスペースがなくなるため、２つの表示部にそれぞれ高解像度なタッチパネルを設けることが望ましい。
【０００５】
しかしながら、そのような２つの表示部及びタッチパネルを備えた携帯電話機では、２つの表示部やタッチパネルを常にＯＮさせていると、タッチパネルは比較的で電力消費が大きいため、携帯電話機の消費電流が増大して電池持ちが悪くなる問題がある。
【０００６】
なお、２つの表示部やタッチパネルを備えた構成ではないが、携帯電話機の消費電流を低減するための手法は、例えば特許文献３や４で提案されている。
【０００７】
特許文献３には、タッチパネルの操作状態を表示しつつ、タッチパネルが所定の時間が経過しても操作されない場合は表示部及びタッチパネルの動作を停止させることで消費電流を低減することが記載されている。特許文献４には、表示部を複数の表示領域に分割し、表示領域毎に照明手段（バックライト）をＯＮまたはＯＦＦするためのスイッチを備えることで、表示領域単位の消灯を可能にして消費電流を低減することが記載されている。
【先行技術文献】
【特許文献】
【０００８】
【特許文献１】特表２００５−０２００４６号公報
【特許文献２】特開２００９−２８４２０３号公報
【特許文献３】特開２００８−０５２５８４号公報
【特許文献４】特開平０９−０６２１９８号公報
【発明の概要】
【発明が解決しようとする課題】
【０００９】
上述したように、２つの表示部及びタッチパネルを備えた携帯電話機等の電子機器では、表示部（表示手段）やタッチパネル（入力手段）を常にＯＮさせていると、電子機器の消費電流が増大して電池持ちが悪くなる問題がある。そのため、使用しないタッチパネルを簡易にＯＦＦできるようにして消費電流の低減に寄与する仕組みが望まれる。また、使用するタッチパネルを簡易に切り替えることができれば、ユーザによる２つのタッチパネルの同時利用の機会も低減することが期待できる。
【００１０】
本発明は上述したような背景技術が有する問題点を解決するためになされたものであり、消費電流の低減に寄与する、複数の表示手段及び入力手段を備えた電子機器、該電子機器の制御方法及びプログラムを提供することを目的とする。
【課題を解決するための手段】
【００１１】
上記目定を達成するため本発明の電子機器は、複数の表示手段と、
前記表示手段の表示面にそれぞれ対応して設けられた、情報を入力するための複数の入力手段と、
複数の前記入力手段間に配置された、ユーザによる操作を検出する検出手段と、
前記検出手段に対する前記ユーザの操作を検出すると、使用可能な表示手段及び入力手段を切り替える制御手段と、
を有する。
【００１２】
一方、本発明の電子機器の制御方法は、複数の表示手段と、
前記表示手段の表示面にそれぞれ対応して設けられた、情報を入力するための複数の入力手段と、
前記入力手段間に配置された、ユーザによる操作を検出する検出手段と、
を有する電子機器の制御方法であって、
前記検出手段に対する前記ユーザの操作を検出すると、使用可能な表示手段及び入力手段を切り替える方法である。
【００１３】
また、本発明のプログラムは、複数の表示手段と、
前記表示手段の表示面にそれぞれ対応して設けられた、情報を入力するための複数の入力手段と、
前記入力手段の間に配置された、ユーザによる操作を検出する検出手段と、
を有する電子機器を制御するためのプログラムであって、
前記検出手段に対する前記ユーザの操作を検出すると、使用可能な表示手段及び入力手段を切り替えるためのものである。
【発明の効果】
【００１４】
本発明によれば、消費電流の低減に寄与する、複数の表示部及びタッチパネル部を備えた電子機器が得られる。
【図面の簡単な説明】
【００１５】
【図１】本発明の電子機器の一構成例を示すブロック図である。
【図２】図１に示した電子機器の第１の実施の形態の構成を示すブロック図である。
【図３】図２に示した電子機器の概観例を示す平面図である。
【図４】第１の実施の形態の電子機器の操作例を示す模式図である。
【図５】第１の実施の形態の電子機器の動作の一例を示すフローチャートである。
【図６】第１の実施の形態の電子機器の動作の一例を示すフローチャートである。
【図７】第２の実施の形態の電子機器の動作の一例を示すフローチャートである。
【図８】第２の実施の形態の電子機器の動作の一例を示すフローチャートである。
【図９】本発明の電子機器の他の構成例を示す平面図である。
【発明を実施するための形態】
【００１６】
次に本発明について図面を用いて説明する。
【００１７】
図１は本発明の電子機器の一構成例を示すブロック図である。
【００１８】
図１に示すように、本発明の電子機器は、複数の表示手段１と、表示手段１の表示面にそれぞれ対応して設けられた情報を入力するための複数の入力手段２と、入力手段２間に配置された、ユーザによる操作を検出する検出手段３と、検出手段３に対するユーザの操作を検出すると、使用可能な表示手段１及び入力手段２を切り替える制御手段４とを有する構成である。
【００１９】
図１では、電子機器が、２つの表示手段１、２つの入力手段２及び１つの検出手段３を備える構成例を示しているが、表示手段１及び入力手段２の数は２つに限定されるものではなく、検出手段３の数は１つに限定されるものではない。表示手段１及び入力手段２は、２つ以上であればいくつでもよく、検出手段３は表示手段１及び入力手段２の数に応じて各入力手段２間に配置すればよい。
（第１の実施の形態）
図２は、図１に示した電子機器の第１の実施の形態の構成を示すブロック図である。図２は、図１に示した電子機器として、携帯電話機の構成例を示している。
【００２０】
以下では、携帯電話機を例にして本発明の構成や動作を説明するが、本発明は、複数の表示手段１及び入力手段２を備えた構成であれば、その他の電子機器にも適用できる。そのような電子機器としては、例えば携帯電話機、ＰＨＳ（Personal Handyphone System）、ＰＤＡ（Personal Data Assistance，Personal Digital Assistants：個人向け携帯型情報通信機器）、ゲーム機、ノート型やタブレット型のコンピュータ等がある。
【００２１】
図２に示すように、本実施形態の電子機器は、制御部１８、第１表示部１１、第２表示部１３、第１タッチパネル部１２、第２タッチパネル部１４、センサー部１５、記憶部１６及び通信部１７を備え、第１表示部１１、第２表示部１３、第１タッチパネル部１２、第２タッチパネル部１４、センサー部１５、記憶部１６及び通信部１７が、例えば周知のバスを介して制御部１８と接続された構成である。
【００２２】
第１表示部１１及び第２表示部１３は、制御部１８から供給される画像情報や映像信号にしたがって画像を表示する、例えば液晶ディスプレイや有機ＥＬパネル等である。図１に示した本発明の表示手段１は、例えば図２に示す第１表示部１１及び第２表示部１３で実現される。
【００２３】
第１タッチパネル部１２は、第１表示部１１の表示面上に設置され、第１表示部１１に表示された画像に基づき、ユーザの指示、あるいは文字、数字、記号等の情報を電子機器に入力するために用いられる。
【００２４】
第２タッチパネル部１４は、第２表示部１３の表示面上に設置され、第２表示部１３に表示された画像に基づき、ユーザの指示、あるいは文字、数字、記号等の情報を電子機器に入力するために用いられる。
【００２５】
第１タッチパネル部１２及び第２タッチパネル部１４は、タッチ面として有効な範囲にユーザの指等が触れると、接触反応がある座標（接触点）のデータを制御部１８へ送信する。制御部１８は、第１タッチパネル部１２及び第２タッチパネル部１４から受け取ったデータに基づき、該接触点の有無及びその座標を検出し、ソフトウェア処理により該座標に対応するユーザがタッチ面に触れることで指定した文字、数字、記号等の情報を判定して取り込む。図１に示した本発明の入力手段２は、例えば図２に示す第１タッチパネル部１２及び第２タッチパネル部１４で実現される。
【００２６】
センサー部１５は、第１タッチパネル部１２と第２タッチパネル部１４間に配置され、第１表示部１１、第２表示部１３、第１タッチパネル部１２及び第２タッチパネル部１４をＯＮまたはＯＦＦするために用いられる。センサー部１５には、例えば周知のタッチセンサーや近接センサー等を用いればよい。センサー部１５は、通常、ＯＦＦに設定されており、ＯＮされると予め設定された時間（Ａｃｔｉｖｅ時間Ｔ）が経過した後、ＯＦＦされる。センサー部１５は、ＯＮ状態のときに動作し、ユーザが指等で触れたか否か、または指等を近づけた否か等のユーザによる操作を検出し、その検出結果を制御部１８へ通知する。センサー部１５は、制御部１８により、第１タッチパネル部１２及び第２タッチパネル部１４のうち、例えば使用中の表示部に対応するタッチパネル部の端部に対するユーザの操作（指等を触れる、または近づける）が検出されると、ＯＮされる。図１に示した本発明の検出手段３は、例えば図２に示すセンサー部１５で実現される。
【００２７】
記憶部１６は、第１タッチパネル部１２及び第２タッチパネル部１４のＯＮ／ＯＦＦ状態、並びにセンサー部１５のＯＮ／ＯＦＦ状態を記憶する。これらの状態は制御部１８により記憶部１６に記録される。
【００２８】
通信部１７は、不図示の無線基地局と無線通信を行うことで、通信ネットワークを介して音声、テキスト、画像等の各種の情報を送受信するための周知の無線回路である。
【００２９】
制御部１８は、周知のＣＰＵ（Central Processing Unit）及びメモリ等を備え、メモリにはＣＰＵで実行する各種の制御用プログラムや処理で用いる各種のデータが格納される。ＣＰＵは、メモリに格納された制御用プログラムにしたがって処理（ソフトウェア処理）を実行することで、周知の携帯電話機としての機能を実現すると共に、第１表示部１１、第２表示部１３、第１タッチパネル部１２、第２タッチパネル部１４、センサー部１５及び記憶部１６の動作を制御し、後述する本発明の電子機器の制御方法を実現する。図１に示した本発明の制御手段４は、例えば図２に示す制御部１８で実現される。
【００３０】
図３は、図２に示した電子機器（携帯電話機）の概観例を示す平面図である。
【００３１】
図３に示すように、本実施形態の電子機器は、第１タッチパネル部１２が表示面上に配置された第１表示部１１と、第２タッチパネル部１４が表示面上に配置された第２表示部１３とが並列に配置された、例えば折り畳み式の携帯電話機である。第１タッチパネル部１２と第２タッチパネル部１４間にはセンサー部１５が設けられている。
【００３２】
このような構成において、次に第１の実施の形態の電子機器の動作について図面を用いて説明する。
【００３３】
第１の実施の形態の電子機器は、第１表示部１１及び第２表示部１３のうち、いずれか一方を使用しているとき、センサー部１５を用いて使用する表示部を切り替える例である。第１表示部１１と第１タッチパネル部１２とは連動してＯＮ／ＯＦＦし、第２表示部１３と第２タッチパネル部１４とは連動してＯＮ／ＯＦＦするものとする。以下では、特に指定しない限り、第１表示部１１や第２表示部１３がＯＮしたと表記した場合は、対応するタッチパネル部もＯＮし、第１表示部１１や第２表示部１３がＯＦＦしたと表記した場合は、対応するタッチパネル部もＯＦＦするものとする。同様に、第１タッチパネル部１２や第２タッチパネル部１４がＯＮしたと表記した場合は、対応する表示部もＯＮし、第１タッチパネル部１２や第２タッチパネル部１４がＯＦＦしたと表記した場合は、対応する表示部もＯＦＦするものとする。
【００３４】
図４は、第１の実施の形態の電子機器の操作例を示す模式図である。
【００３５】
図４に示すように、ユーザが、例えば第１表示部１１及び第１タッチパネル部１２のみＯＮさせて電子機器を操作しているとき（ＳＴＥＰ１）、センサー部１５はＯＦＦされている。
【００３６】
ユーザが、使用する表示部及びタッチパネル部を切り替える場合、使用中のタッチパネル部（この場合、第１タッチパネル部１２）の端部に触れると、センサー部１５がＯＮする（ＳＴＥＰ２）。
【００３７】
センサー部１５がＯＮ状態のとき、ユーザがセンサー部１５に触れると（あるいは指等を近づけると）、使用中の一方の表示部及びタッチパネル部（この場合、第１表示部１１及び第１タッチパネル部１２）がＯＦＦされ、それまで使用していない他方の表示部及びタッチパネル部（この場合、第２表示部１３及び第２タッチパネル部１４）がＯＮされる（ＳＴＥＰ３）。ＯＮしたセンサー部１５は、所定のＡｃｔｉｖｅ時間Ｔが経過した後にＯＦＦされる。
【００３８】
図５及び図６は、第１の実施の形態の電子機器の動作の一例を示すフローチャートである。
【００３９】
以下に示す本実施形態の電子機器の処理は、図２に示した制御部１８が備えるＣＰＵがメモリに格納された制御用プログラムにしたがって処理を実行することで実現される。また、以下に示す制御部１８による処理において、第１表示部１１、第２表示部１３、第１タッチパネル部１２及び第２タッチパネル部１４をＯＮ／ＯＦＦした場合、制御部１８はその状態を記憶部１６に記録するものとする。
【００４０】
図５に示すように、制御部１８は、待ち受け処理へ移行すると（ステップＳ１１）、まず第１表示部１１がＯＮしているか否かを判定する（ステップＳ１２）。待ち受け処理とは、第１タッチパネル部１２及び／または第２タッチパネル部１４に対するユーザの入力操作が何も無く、ユーザからの指示入力を待っている状態である。待ち受け処理であるか否かは、所定の周期毎に判定すればよい。本発明の電子機器の制御方法は、第１タッチパネル部１２及び／または第２タッチパネル部１４に対するユーザの入力操作が無い図５に示すステップＳ１１から処理が開始される。
【００４１】
第１表示部１１がＯＮしている場合、制御部１８は、ステップＳ１９の処理へ移行する。第１表示部１１がＯＦＦしている場合、制御部１８は、第２表示部２がＯＮしているか否かを判定する（ステップＳ１４）。
【００４２】
第２表示部がＯＮしている場合、制御部１８は、ステップＳ２０の処理へ移行する。第２表示部１３がＯＦＦしている場合、制御部１８は、第１表示部１１または第２表示部１３をＯＮにする指示が入力されているか否かを判定する（ステップＳ１６）。第１表示部１１または第２表示部１３をＯＮにする指示が入力されていない場合はステップＳ１１からの処理を繰り返す。
【００４３】
第１表示部１１をＯＮにする指示が入力されている場合、制御部１８は、第１表示部１１をＯＮにして（ステップＳ１７）、ステップＳ１２の処理からの処理を繰り返す。また、第２表示部１３をＯＮにする指示が入力されている場合は第２表示部１３をＯＮにし（ステップＳ１８）、ステップＳ１２からの処理を繰り返す。第１表示部１１及び第２表示部１３をＯＮまたはＯＦＦする指示は、例えば、第１タッチパネル部１２及び第２タッチパネル部１４を含まない、電子機器の前面や側面等に設けられたファンクションキー、または使用中のタッチパネル部を用いたユーザの操作により入力される。
【００４４】
ステップＳ１９において、制御部１８は、第１タッチパネル部１２をユーザが操作中であるか否かを判定する。ユーザが第１タッチパネル部１２を操作中である場合はステップＳ２１の処理へ移行する。また、ユーザが第１タッチパネル部１２を操作中でない場合は、ステップＳ１１からの処理を繰り返す。
【００４５】
ステップＳ２１において、制御部１８は、ユーザが触れている第１タッチパネル部１２の位置（タッチ位置）が、その端部であるか否かを判定する。ユーザが第１タッチパネル部１２の端部に触れている場合、制御部１８は、センサー部１５をＯＮにし（ステップＳ２２）、記憶部１６にセンサー部１５がＯＮ状態であることを記録して、ステップＳ２３へ移行する。ユーザが第１タッチパネル部１２の端部に触れていない場合は、ステップＳ１１からの処理を繰り返す。
【００４６】
ステップＳ２０において、制御部１８は、第２タッチパネル部１４をユーザが操作中であるか否かを判定する。ユーザが操作中である場合はステップＳ２４の処理へ移行する。また、ユーザが第２タッチパネル部１４を操作中でない場合は、ステップＳ１１からの処理を繰り返す。
【００４７】
ステップＳ２４において、制御部１８は、ユーザが触れている第２タッチパネル部１４の位置（タッチ位置）が、その端部であるか否かを判定する。ユーザが第２タッチパネル部１４の端部に触れている場合、制御部１８は、センサー部１５をＯＮにし（ステップＳ２５）、記憶部１６にセンサー部１５がＯＮ状態であることを記録して、ステップＳ２３へ移行する。ユーザが第２タッチパネル部１４の端部に触れていない場合は、ステップＳ１１からの処理を繰り返す。
【００４８】
ステップＳ２３へ移行すると、制御部１８は、図６に示すように、まずユーザがセンサー部１５を操作中であるか否かを判定する（ステップＳ２３１）。ユーザがセンサー部１５を操作中である場合はステップＳ２３２の処理へ移行する。また、ユーザがセンサー部１５を操作中でない場合はステップＳ２３３の処理へ移行する。
【００４９】
ステップＳ２３２において、制御部１８は、第１表示部１１がＯＮしているか否かを判定し、第１表示部１１がＯＮしている場合はステップＳ２３４の処理を実行した後、ステップＳ１１からの処理を繰り返す。一方、第１表示部１１がＯＮしていない場合は、ステップＳ２３６の処理へ移行する。
【００５０】
ステップＳ２３４において、制御部１８は、第１表示部１１をＯＦＦにし、第２表示部１３をＯＮにし、併せてセンサー部１５をＯＦＦにする。
【００５１】
ステップＳ２３３において、制御部１８は、センサー部１５がＯＮしている時間（ＯＮ時間）ｔが予め設定されたＡｃｔｉｖｅ時間Ｔを越えているか否かを判定する。このとき、制御部１８は、記憶部１６に記録されたセンサー部１５のＯＮ／ＯＦＦ状態に基づき、タイマ等を用いて上記ＯＮ時間ｔを計測すればよい。ＯＮ時間ｔがＡｃｔｉｖｅ時間Ｔを越えている場合、制御部１８は、ステップＳ２３５の処理を実行した後、ステップＳ１１からの処理を繰り返す。ＯＮ時間ｔがＡｃｔｉｖｅ時間Ｔを越えていない場合は、ステップＳ２３１からの処理を繰り返す。
【００５２】
ステップＳ２３５において、制御部１８はセンサー部１５をＯＦＦにする。
【００５３】
ステップＳ２３６において、制御部１８は、第２表示部１３がＯＮしているか否かを判定し、第２表示部１３がＯＮしている場合はステップＳ２３７の処理を実行した後、ステップＳ１１からの処理を繰り返す。一方、第２表示部１３がＯＮしていない場合は、ステップＳ２３８の処理へ移行する。
【００５４】
ステップＳ２３７において、制御部１８は、第１表示部１１をＯＮにし、第２表示部１３をＯＦＦにし、併せてセンサー部１５をＯＦＦにする。
【００５５】
ステップＳ２３８において、制御部１８は、センサー部１５がＯＮしている時間（ＯＮ時間）ｔが予め設定されたＡｃｔｉｖｅ時間Ｔを越えているか否かを判定する。ＯＮ時間ｔがＡｃｔｉｖｅ時間Ｔを越えている場合、制御部１８は、ステップＳ２３９の処理を実行した後、ステップＳ１１からの処理を繰り返す。ＯＮ時間ｔがＡｃｔｉｖｅ時間Ｔを越えていない場合は、ステップＳ２３１からの処理を繰り返す。
【００５６】
ステップＳ２３９において、制御部１８はセンサー部１５をＯＦＦにする。
【００５７】
本実施形態によれば、ユーザは自然な操作で使用する表示部及びタッチパネル部を切り替えることが可能であり、使用しない表示部及びタッチパネル部を簡易にＯＦＦすることができる。したがって、ユーザによる２つのタッチパネル部の同時利用の低減が期待できるため、消費電流の低減に寄与する、複数の表示部及びタッチパネル部を備えた電子機器及びその制御方法が得られる。
（第２の実施の形態）
図５及び図６に示した第１の実施の形態の処理では、第１表示部１１及び第２表示部１３が共にＯＮした状態で、ステップＳ１１の待ち受け処理へ移行すると、ステップＳ１１から常にステップＳ１２及びＳ１９の処理へ移行してしまう。
【００５８】
第２の実施の形態は、図５に示したステップＳ１１の待ち受け処理への移行時に第１表示部１１及び第２表示部１３が共にＯＮしていてもセンサー部１５による操作を可能にする例である。電子機器の構成は第１の実施の形態と同様であるため、その説明は省略する。なお、第１の実施の形態の処理と第２の実施の形態の処理とは、第１表示部１１及び第２表示部１３が共にＯＮしているか否かに応じて、制御部１８のＣＰＵで実行する制御プログラムを切り替えることで実現できる。
【００５９】
第２の実施の形態の電子機器の処理も、第１の実施の形態と同様に、図２に示した制御部１８が備えるＣＰＵがメモリに格納された制御用プログラムにしたがって処理を実行することで実現される。
【００６０】
図７及び図８は、第２の実施の形態の電子機器の動作の一例を示すフローチャートである。
【００６１】
図７に示すように、制御部１８は、ユーザからの指示入力を待つ待ち受け処理へ移行すると（ステップＳ３１）、まず第１表示部１１がＯＮしているか否かを判定する（ステップＳ３２）。第１表示部１１がＯＮしている場合はステップＳ３３の処理へ移行し、第１表示部１１がＯＮしていない場合はステップＳ３５の処理へ移行する。
【００６２】
ステップＳ３３において、制御部１８は、第１タッチパネル部１２をユーザが操作中であるか否かを判定する。ユーザが第１タッチパネル部１２を操作中である場合はステップＳ３４の処理へ移行する。ユーザが第１タッチパネル部１２を操作中でない場合は、ステップＳ３１からの処理を繰り返す。
【００６３】
ステップＳ３４において、制御部１８は、ユーザが触れている第１タッチパネル部１２の位置が、その端部であるか否かを判定する。ユーザが第１タッチパネル部１２の端部に触れている場合は、センサー部１５をＯＮにし（ステップＳ３８）、記憶部１６にセンサー部１５がＯＮ状態であることを記録して、図８に示すステップＳ３９へ移行する。ユーザが第１タッチパネル部１２の端部に触れていない場合は、ステップＳ３１からの処理を繰り返す。
【００６４】
ステップＳ３５において、制御部１８は、第２表示部１３がＯＮしているか否かを判定する。第２表示部１３がＯＮしている場合はステップＳ３６の処理へ移行し、第２表示部１３がＯＮしていない場合は、ステップＳ３１からの処理を繰り返す。
【００６５】
ステップＳ３６において、制御部１８は、第２タッチパネル部１４をユーザが操作中であるか否かを判定する。ユーザが第２タッチパネル部１４を操作中である場合はステップＳ３７の処理へ移行する。ユーザが第２タッチパネル部１４を操作中でない場合は、ステップＳ３１からの処理を繰り返す。
【００６６】
ステップＳ３７において、制御部１８は、ユーザが触れている第２タッチパネル部１４の位置が、その端部であるか否かを判定する。ユーザが第２タッチパネル部１４の端部に触れている場合は、センサー部１５をＯＮにし（ステップＳ３８）、記憶部１６にセンサー部１５がＯＮ状態であることを記録して、図８に示すステップＳ３９へ移行する。ユーザが第２タッチパネル部１４の端部に触れていない場合は、ステップＳ３１からの処理を繰り返す。
【００６７】
ステップＳ３９へ移行すると、制御部１８は、図８に示すように、まずユーザがセンサー部１５を操作中であるか否かを判定する（ステップＳ３９１）。ユーザがセンサー部１５を操作中である場合はステップＳ３９２の処理へ移行する。また、ユーザがセンサー部１５を操作中でない場合はステップＳ３９６の処理へ移行する。
【００６８】
ステップＳ３９２において、制御部１８は、第１表示部１１がＯＮしているか否かを判定し、第１表示部１１がＯＮしている場合はステップＳ３９３の処理を実行した後、ステップＳ３９７の処理へ移行する。第１表示部１１がＯＮしていない場合は、ステップＳ３９４の処理へ移行する。
【００６９】
ステップＳ３９３において、制御部１８は、第１表示部１１をＯＦＦにし、第２表示部１３をＯＮにする。
【００７０】
ステップＳ３９４において、制御部１８は、第２表示部１３がＯＮしているか否かを判定し、第２表示部１３がＯＮしている場合はステップＳ３９５の処理を実行した後、ステップＳ３９７の処理へ移行する。第２表示部１３がＯＮしていない場合は、ステップＳ３９６の処理へ移行する。
【００７１】
ステップＳ３９５において、制御部１８は、第１表示部１１をＯＮにし、第２表示部１３をＯＦＦにする。
【００７２】
ステップＳ３９６において、制御部１８は、センサー部１５がＯＮしている時間（ＯＮ時間）ｔが予め設定されたＡｃｔｉｖｅ時間Ｔを越えているか否かを判定する。ＯＮ時間ｔがＡｃｔｉｖｅ時間Ｔを越えている場合は、ステップＳ３９７の処理へ移行する。ＯＮ時間ｔがＡｃｔｉｖｅ時間Ｔを越えていない場合は、ステップＳ３９１からの処理を繰り返す。
【００７３】
ステップＳ３９７において、制御部１８は、センサー部１５をＯＦＦにし、その後、ステップＳ３１からの処理を繰り返す。
【００７４】
第２の実施の形態によれば、第１の実施の形態と同様に、ユーザは自然な操作で使用する表示部及びタッチパネル部を切り替えることが可能であり、使用しない表示部及びタッチパネル部を簡易にＯＦＦすることができる。したがって、ユーザによる２つのタッチパネル部の同時利用の低減が期待できるため、消費電流の低減に寄与する、複数の表示部及びタッチパネル部を備えた電子機器及びその制御方法が得られる。
【００７５】
なお、上述した第１の実施の形態及び第２の実施の形態では、電子機器として、表示手段１及び入力手段２をそれぞれ２つ備えた構成例を示しているが、表示手段１及び入力手段２の数は２つに限定されるものではない。例えば図９に示すように、表示手段１及び入力手段２をそれぞれ４つ備え、表示手段１及び入力手段２間に５つの検出手段３が配置された電子機器にも適用可能である。
【００７６】
その場合、ユーザが操作した検出手段３を挟む２つの表示手段１及び入力手段２間で使用する表示手段及び入力手段２を切り替えればよく、中央の検出手段３に対するユーザの操作を検出した場合は、例えば４つの表示手段１及び入力手段２のうち、使用する表示手段１及び入力手段２を順次切り替えればよい。すなわち、検出手段３に対するユーザの操作を検出した場合は、いずれか１組の表示手段１及び入力手段２を使用可能にすればよい。
【符号の説明】
【００７７】
１    表示手段
２    入力手段
３    検出手段
４    制御手段
１１    第１表示部
１２    第１タッチパネル部
１３    第２表示部
１４    第２タッチパネル部
１５    センサー部
１６    記憶部
１７    通信部
１８    制御部
【図１】
2012238067.tif 000003
【図２】
2012238067.tif 000004
【図３】
2012238067.tif 000005
【図４】
2012238067.tif 000006
【図５】
2012238067.tif 000007
【図６】
2012238067.tif 000008
【図７】
2012238067.tif 000009
【図８】
2012238067.tif 000010
【図９】
2012238067.tif 000011